(57)【要約】      （修正有）【課題】最適な組み合わせによって強固な戻り止めが実現され、中ボルトの連結作業効率を大幅に向上させることができる鋼構造建築物用中ボルト連結構造を提供する。【解決手段】鋼構造建築物のボルト接合に使用される中ボルト１１を選択する。この中ボルト１１に予め平座金１２を組み合わせた座金付ボルト１０を設ける。六角ナット２１に皿ばね座金２２を組み合わせた皿ばねナット２０を設ける。接合部母材から接合材に座金付ボルト１０を貫通させる。この状態で中ボルト１１の頭部と平座金１２とを接合部母材側に圧着する。中ボルト１１にネジ止めする皿ばねナット２０を接合材側に圧着して鋼構造建築物を連結する。【選択図】図１
0003161303.tif 000002
【実用新案登録請求の範囲】
【請求項１】
鋼構造建築物のボルト接合に使用される中ボルトに予め平座金をセムスした座金付ボルトと、該中ボルトにネジ止めされる六角ナットに皿ばね座金を組み合わせた皿ばねナットとで構成され、接合部母材から接合材に座金付ボルトを貫通させた状態で中ボルトの頭部と平座金とを接合部母材側に圧着し、中ボルトにネジ止めする皿ばねナットを接合材側に圧着して鋼構造建築物を連結するように設けたことを特長とする鋼構造建築物用中ボルト連結構造。
【請求項２】
前記鋼構造建築物は、建築工事標準仕様書JASS6鉄骨工事に準拠する鋼構造建築物であり、前記座金付ボルトは、JIS B1180に規定される中ボルトと、JIS B1256に規定される平座金とで構成され、前記皿ばねナットは、JIS B1181に規定される六角ナットと、JIS B1252に規定される皿ばね座金とで構成された請求項１記載の鋼構造建築物用中ボルト連結構造。
【考案の詳細な説明】
【技術分野】
【０００１】
本考案は、例えば胴縁やブラケット等の構造物を連結する鋼構造建築物用中ボルト連結構造に係るもので、特に、プレハブ住宅等の比較的軽微な構造物のボルト接合に使用される鋼構造建築物用中ボルト連結構造に関する。
【背景技術】
【０００２】
鋼構造建築物では、一般に高力ボルト及び中ボルトが使用されている。高力ボルトは、ボルト、ナット、座金のセットとしてJIS B1186に寸法や形状、品質等が規定されている。一方、中ボルトの寸法、形状及び品質はJIS B1180に規定されており、この中ボルトに使用するナット、座金は、それぞれJIS B1181、JIS B1256に規定されている。このように鋼構造建築物で使用される中ボルトは、法的な許容応力度が高力ボルトと明確に区別されているものである。
【０００３】
建築基準法施工令において、中ボルト接合による場合は、戻り止めの処置をすることが義務付けられているが、高力ボルトのように、ボルト、ナット、座金がJIS B1186にセットで規定されていないので、中ボルトを使用する際には、ボルト、ナット、座金を特記することになっている。この特記がない場合は、JIS B1181、JIS B1256にそれぞれ規定されているナットや座金から適宜選択することが義務付けられている。
【０００４】
ところが、特記がない状態で中ボルトを使用する場合、実際には、様々な戻り止めの組み合わせがある。例えば、平座金と六角ナットとを組み合わせるほか、六角ナットを２個用いるダブルナットの組み合わせや、弾性力を有するスプリング座金を組み合わせる方法、あるいはこれらを適宜組み合わせる方法などである。
【０００５】
一方、従来では、確実な戻り止め効果が得られるように、鋼構造建築物で使用される胴縁にパネルや化粧板等を固定するための特殊なボルトやナットが種々提案されている。
【０００６】
特許文献１に記載されているボルト及びナットは、胴縁にパネルを固定するための取付ボルト及びナットである。この取付ボルトは、特に胴縁の取付溝に挿入可能な頭部を形成することで、この取付ボルトの回転を防止しようとするものである。
【０００７】
また、特許文献２に記載されているボルトにおいても、下地胴縁に形成されたレール溝に、ボルトの頭部を回転不可能に挿入する手段を採用している。すなわち、レール溝にボルトの頭部を固定し、このボルトのネジ部に座金やダブルナット等を解して化粧板やアングル材等を連結する構造が示されている。
【先行技術文献】
【特許文献】
【０００８】
【特許文献１】特開２０００−２２２１号公報
【特許文献２】実開平５−７１２２０号公報
【考案の概要】
【考案が解決しようとする課題】
【０００９】
特許文献１、２はいずれも、胴縁に設けられた取付溝やレール溝にボルトの頭部を固定してボルトの回転を防止するものである。したがって、この種の従来のボルト及びナットは、取付溝やレール溝が形成されている特殊な胴縁の使用に限られるもので、鋼構造建築物で用いられる一般の胴縁やアングル材等の構造物を連結することは困難である。
【００１０】
一方、母屋、胴縁といった一般の構造物を中ボルトで連結する場合は、前述のように、JIS B1181や、JIS B1256などに規定されているナットや座金形状から選択することになる。しかしながら、使用する中ボルトに対し、どのようなナットや座金を選択すべきか明確に規定されていないことから、選択を迷うことが多く、合理的な作業の妨げになっている。
【００１１】
しかも、中ボルトを躯体の接合部に使用する場合、六角ナット・スプリングワッシャー・接合部母材・ワッシャー・六角ボルトという順番で使用される。特に、準拠する基準としてJASS6が掲げられて特記がない場合には、座金の省略はできない。そのため、作業者は、これらの六角ナット・スプリングワッシャー・接合部母材・ワッシャー・六角ボルトという順番で、中ボルトを挿入して連結する作業になる。更にこの場合、鋼製の構造物を扱う作業になるので、作業用手袋を着用しての作業になる。このような作業用手袋を着用しての連結作業は極めて作業能率が悪いものであった。
【００１２】
そこで本考案は上述の課題を解消すべく案出されたもので、建築工事標準仕様書JASS6鉄骨工事で使用する中ボルトにおいて、ナットや座金の選択が不要になり、しかも、最適な組み合わせによって強固な戻り止めが実現され、更には、作業用手袋を着用していても中ボルトの連結作業効率を大幅に向上させることができる鋼構造建築物用中ボルト連結構造の提供を目的とするものである。
【課題を解決するための手段】
【００１３】
上述の目的を達成すべく本考案における第１の手段は、鋼構造建築物のボルト接合に使用される中ボルト１１に予め平座金１２をセムスした座金付ボルト１０と、該中ボルト１１にネジ止めされる六角ナット２１に皿ばね座金２２を組み合わせた皿ばねナット２０とで構成され、接合部母材Ｐから接合材Ｑに座金付ボルト１０を貫通させた状態で中ボルト１１の頭部１１Ａと平座金１２とを接合部母材Ｐ側に圧着し、中ボルト１１にネジ止めする皿ばねナット２０を接合材Ｑ側に圧着して鋼構造建築物を連結するように設けたことにある。
【００１４】
第２の手段において、前記鋼構造建築物は建築工事標準仕様書JASS6鉄骨工事に準拠する鋼構造建築物であり、前記座金付ボルト１０は、JIS B1180に規定される中ボルト１１と、JIS B1256に規定される平座金１２とで構成され、前記皿ばねナット２０は、JIS B1181に規定される六角ナット２１と、JIS B1252に規定される皿ばね座金２２とで構成されたことを課題解消のための手段とする。
【考案の効果】
【００１５】
本考案の請求項１の如く、接合部母材Ｐから接合材Ｑに座金付ボルト１０を貫通させた状態で中ボルト１１の頭部１１Ａと平座金１２とを接合部母材Ｐ側に圧着し、中ボルト１１にネジ止めする皿ばねナット２０を接合材Ｑ側に圧着して鋼構造建築物を連結するように設けたことで、鉄骨工事で使用する中ボルトの連結構造において、ナットや座金の選択が不要になり、しかも、最適な組み合わせによって強固な戻り止めが実現された。更に、座金付ボルト１０や皿ばねナット２０を使用することで、極めて迅速な連結作業が可能になった。
【００１６】
また、請求項２のような構成により、準拠する基準としてJASS6が掲げられて特記がない場合でも、最適な仕様の座金付ボルト１０や皿ばねナット２０を予め設けておくことが可能になり、たとえ特記がない場合でも、法的な許容応力度を満たした連結作業を確実、且つ迅速に行うことができる。
【図面の簡単な説明】
【００１７】
【図１】本考案の一実施例を示す分解斜視図である。
【図２】本考案の使用状態を示す側面図である。
【図３】本考案の使用状態を示す側面図である。
【図４】（イ）〜（ハ）は、本考案のゆるみ止め試験に使用する比較品を示す側面図である。
【考案を実施するための形態】
【００１８】
このように本考案によると、鋼構造建築工事で使用する中ボルトにおいて、ナットや座金の選択が不要になり、しかも、最適な組み合わせによって強固な戻り止めが実現され、更には、中ボルトの連結作業効率を大幅に向上させることができるといった目的を実現した。
【実施例】
【００１９】
以下、本考案の一実施例を説明する。本考案の中ボルト連結構造は、鋼構造建築物のボルト接合に中ボルト１１を使用して連結する構造にある。すなわち、建築工事標準仕様書JASS6鉄骨工事に準拠する鋼構造建築物において、中ボルト１１はJIS B1180（六角ボルト）の区分４．８とし、ナットはJIS B1181（六角ナット）の区分５、座金はJIS B1256（平座金）の平座金、またはJIS B1251（ばね座金）のばね座金、またはJIS B1252（ばね座金）のばね座金とし、仕上げ程度は中以上とすると規定されている。
【００２０】
そこで、本考案では、このような規定のボルト、ナット、座金を予め組み合わせておくことで、鋼構造建築物のボルト接合作業の合理化を図るものである。本考案では、中ボルト１１に平座金１２を組み合わせた座金付ボルト１０と、六角ナット２１に皿ばね座金２２を組み合わせた皿ばねナット２０とを連結する構造である（図１参照）。
【００２１】
座金付ボルト１０は、中ボルト１１に予め平座金１２をセムスしたものである。すなわち、転造前に、中ボルト１１のネジ径よりも孔径の小さいセムス用の平座金１２を組み込み、その後に転造することで、平座金１２が外れないようにしている。中ボルト１１は、主に胴縁用として使用されているM12などの中ボルト１１が使用される。
【００２２】
一方、皿ばねナット２０は、中ボルト１１にネジ止めする六角ナット２１に皿ばね座金２２を組み合わせた皿ばねナット２０を使用する。
【００２３】
このように、座金付ボルト１０の中ボルト１１や平座金１２、皿ばねナット２０の六角ナット２１や皿ばね座金２２を、前記JASS6鉄骨工事に準拠する規定の中から組み合わせておくことで、作業能率を格段に上げることができる。すなわち、座金付ボルト１０は、JIS B1180に規定される中ボルト１１と、JIS B1256に規定される平座金１２とで構成され、皿ばねナット２０は、JIS B1181に規定される六角ナット２１と、JIS B1252に規定される皿ばね座金２２とで構成されている。
【００２４】
本考案による鋼構造建築物のボルト接合では、接合部母材Ｐから接合材Ｑに座金付ボルト１０を貫通させた状態で、中ボルト１１の頭部１１Ａと平座金１２とを接合部母材Ｐ側に圧着する。次に、中ボルト１１に皿ばねナット２０をネジ止めし、この皿ばねナット２０を接合材Ｑ側に圧着して鋼構造建築物を連結するものである（図２、図３参照）。
【００２５】
図２に示す連結構造は、接合部母材Ｐのアングル材に、接合材Ｑのチャンネル材を連結した状態を示している。また、図３に示す連結構造は、接合部母材Ｐの軽量間柱に、接合材Ｑのチャンネル材をアングル材と共に連結した状態を示している。このように、本考案の連結構造は、鋼構造建築物における各種のボルト接合に使用されるものである。
【００２６】
【表１】
0003161303.tif 000003
表１は、本考案の戻り止め効果を示すデータである。このデータは、中ボルト１１を使用した本考案の中ボルト連結構造と、同じく中ボルト１１を使用した他の連結構造とのネジ緩み試験の結果を示すものである。試験内容は、軸直角振動式ねじゆるみ試験とした。試験方法は、図１に示す本考案品と、図４に示す比較品（イ）〜（ハ）とを試験機に取り付け、次の振動条件で試験を実施した。
試験機      ：軸直角振動式ねじゆるみ試験機（株式会社島津試験機サービス製）
加振振幅    ：＋−0.5mm
振動周波数  ：3.3Hz
初期締付軸力：17500N
測定時間    ：５分間（軸力が０になった時点で終了）
【００２７】
図４に示す比較品は次のような組合せとした。同図（イ）は、中ボルト１１に六角ナット２１を二個組合せたものである。同図（ロ）は、中ボルト１１、二枚の平座金１２、ばね座金２３、六角ナット２１を組み合わせたものである。同図（ハ）は、中ボルト１１、平座金１２、ばね座金２２、六角ナット２１を組み合わせたものである。
【００２８】
試験のデータは、本考案の中ボルト連結構造の初期締付軸力が、他の構造に比べて最も長時間持続していることを示している。この結果、本考案の座金付ボルト１０と皿ばねナット２０とを組み合わせた連結構造の戻り止め効果の優位性が証明されたものである。
【００２９】
尚、本考案は、図示例に限定されるものではなく、本考案の各構成は本考案の要旨を変更しない範囲において自由に変更できるものである。
【産業上の利用可能性】
【００３０】
本考案によると、鋼構造建築物のボルト接合として説明しているが、座金付ボルト１０と皿ばねナット２０との組み合わせは他の部材の接合にも利用することが可能である。
【符号の説明】
【００３１】
Ｐ  接合部母材
Ｑ  接合材
１０  座金付ボルト
１１  中ボルト
１２  平座金
２０  皿ばねナット
２１  六角ナット
２２  皿ばね座金
２２Ａ  溝
２３  ばね座金
【図１】
0003161303.tif 000004
【図２】
0003161303.tif 000005
【図３】
0003161303.tif 000006
【図４】
0003161303.tif 000007
【手続補正書】
【提出日】平成22年5月24日(2010.5.24)
【手続補正１】
【補正対象書類名】実用新案登録請求の範囲
【補正対象項目名】請求項１
【補正方法】変更
【補正の内容】
【請求項１】
鋼構造建築物のボルト接合に使用される中ボルトに予め平座金を組み合わせた座金付ボルトと、該中ボルトにネジ止めされる六角ナットに皿ばね座金を組み合わせた皿ばねナットとで構成され、接合部母材から接合材に座金付ボルトを貫通させた状態で中ボルトの頭部と平座金とを接合部母材側に圧着し、中ボルトにネジ止めする皿ばねナットを接合材側に圧着して鋼構造建築物を連結するように設けたことを特長とする鋼構造建築物用中ボルト連結構造。
【手続補正２】
【補正対象書類名】明細書
【補正対象項目名】００１３
【補正方法】変更
【補正の内容】
【００１３】
上述の目的を達成すべく本考案における第１の手段は、鋼構造建築物のボルト接合に使用される中ボルト１１に予め平座金１２を組み合わせた座金付ボルト１０と、該中ボルト１１にネジ止めされる六角ナット２１に皿ばね座金２２を組み合わせた皿ばねナット２０とで構成され、接合部母材Ｐから接合材Ｑに座金付ボルト１０を貫通させた状態で中ボルト１１の頭部１１Ａと平座金１２とを接合部母材Ｐ側に圧着し、中ボルト１１にネジ止めする皿ばねナット２０を接合材Ｑ側に圧着して鋼構造建築物を連結するように設けたことにある。
【手続補正３】
【補正対象書類名】明細書
【補正対象項目名】００２１
【補正方法】変更
【補正の内容】
【００２１】
座金付ボルト１０は、中ボルト１１に予め平座金１２を組み合わせたものである。すなわち、転造前に、中ボルト１１のネジ径よりも孔径の小さい組み合わせ用の平座金１２を組み込み、その後に転造することで、平座金１２が外れないようにしている。中ボルト１１は、主に胴縁用として使用されているM12などの中ボルト１１が使用される。